(57)【要約】【課題】脚杆(11)(12)を回動自在に結合したＸ状の一対の脚体(1)(1)が左右対向状態に配設され、一方の脚体(1)を構成する脚杆(11)(12)の各上端部から、他方の脚体(1)を構成する脚杆(11)(12)の各上端部に架設される平行な上バー(13)(14)と、両脚体(1)(1)の回動部間に架設される物干し用の中間棚(3)を備えた物干し具に於いて、折り畳んだ中間棚が干し物の邪魔になるのを防止する。【解決手段】中間棚(3)は、前記一対の各交差部から前方に突出した展開姿勢と、該展開姿勢から左右中央に向けて水平に折り畳まれた折畳姿勢との間で回動自在となった左右一対のサイドアーム(5)(5)と、該サイドアーム(5)(5)間に架設され且つ、前記展開姿勢にあるサイドアーム(5)(5)の基端部から先端部に向けてスライド自在に構成された物干し用の水平バー(35)〜(38)とを具備する。【選択図】図１
2010012141.tif 000002
【特許請求の範囲】
【請求項１】
一対の脚杆を交差部で回動自在に結合したＸ状の一対の脚体が左右対向状態に配設され、
一方の脚体を構成する一対の脚杆の各上端部から、他方の脚体を構成する一対の脚杆の各上端部に平行状態に架設される左右に長い一対の上バーと、
両脚体の前記回動自在な交差部間に架設される折り畳み自在な物干し用の中間棚を備えた、物干し具に於いて、
前記中間棚は、
前記一対の各交差部から前方に突出した展開姿勢と、該展開姿勢から左右中央に向けて水平に折り畳まれた折畳姿勢との間で回動自在となった左右一対のサイドアームと、
前記一対のサイドアーム間に架設され且つ、前記展開姿勢にあるサイドアームの基端部から先端部に向けてスライド自在に構成された物干し用の水平バーと、を具備する物干し具。
【請求項２】
前記水平バーが複数本設けられている、請求項１に記載の物干し具。
【請求項３】
前記複数本の水平バーは、展開状態にあるサイドアームに沿って設定間隔を置いて所定配置部に配置されるものであり、
展開状態にあるサイドアームの先端部側に配置される水平バーがこれより基端部側に配置される水平バーを牽引しながら前記先端部側にスライドすることにより、各水平バーが前記所定配置部に夫々配置された状態になる、請求項２に記載の物干し具。
【発明の詳細な説明】
【技術分野】
【０００１】
本発明は、物干し具、特に、Ｘ状に組まれた左右一対の各脚体の交差部相互に物干し用の中間棚を架設状態に配設した物干し具に関するものである。
【背景技術】
【０００２】
図６は、従来の物干し具の斜視図である。
このものでは、脚杆(11)(12)が回動継手(4)によって回動自在に結合された左右一対のＸ状の脚体(1)(1)が設けられている。
【０００３】
脚体(1)(1)の相互間には、各脚杆(11)(12)の上端を横方向に繋ぐ物干し用の上バー(13)(14)が架設されていると共に、脚体(1)(1)のＸ状の交差部の相互間に架設された中間棚(3)は上下回動自在に組み付けられている。中間棚(3)は、横方向に延びる水平バー(31)(31)が外周枠(30)の内部に架設された構成である。
このものでは、脚体(1)(1)をＸ状に展開すると共に、中間棚(3)を水平姿勢にセットした使用状態にし、この使用状態で、上バー(13)(14)に干し物を吊り下げ、更に、中間棚(3)の水平バー(31)(31)にタオル等の小物を吊り下げて乾燥させる。
【０００４】
一方、不使用時には、中間棚(3)を基端部で回動起立させると共に、脚杆(11)(12)が重なるように回動継手(4)(4)部分で回動させて折り畳み、これにより、物干し具全体を扁平化して保管場所に収納する。
【特許文献１】特開２００２−３７００００号公報
【発明の開示】
【発明が解決しようとする課題】
【０００５】
しかしながら、上記従来のものでは、中間棚(3)を使用することなく、上バー(13)(14)のみに干し物を吊り下げる使用態様の場合には、使い勝手が悪いという問題があった。
即ち、中間棚(3)を鉛直姿勢に回動起立させて不使用状態にセットし、この状態で上バー(13)(14)に干し物を吊り下げると、該吊り下げられた干し物が、鉛直姿勢に起立した中間棚(3)と干渉して障害になることから、使い勝手が悪くなる。
本発明はかかる点に鑑みて成されたもので、
『一対の脚杆を交差部で回動自在に結合したＸ状の一対の脚体が左右対向状態に配設され、
一方の脚体を構成する一対の脚杆の各上端部から、他方の脚体を構成する一対の脚杆の各上端部に平行状態に架設される左右に長い一対の上バーと、
両脚体の前記回動自在な交差部間に架設される折り畳み自在な物干し用の中間棚を備えた、物干し具』に於いて、
前記中間棚を折り畳んだ使用態様で、前記中間棚が干し物の邪魔になるのを防止することを課題とする。
【課題を解決するための手段】
【０００６】
［請求項１に係る発明］
上記課題を解決するための請求項１に係る発明の解決手段は、
『前記中間棚は、
前記一対の各交差部から前方に突出した展開姿勢と、該展開姿勢から左右中央に向けて水平に折り畳まれた折畳姿勢との間で回動自在となった左右一対のサイドアームと、
前記一対のサイドアーム間に架設され且つ、前記展開姿勢にあるサイドアームの基端部から先端部に向けてスライド自在に構成された物干し用の水平バーと、を具備する』ことである。
本発明の物干し具を使用するときは、既述従来のものと同様に、左右一対の脚体をＸ状に展開すると共に、各脚体を構成する脚杆の左右に対向する両交差部から、各サイドアームを前方に突出させた展開姿勢にセットし、この状態で、各サイドアームに架設された水平バーを、該サイドアームに沿って先端側にスライドさせ、これにより、中間棚を展開状態にセットする。
そして、展開状態にセットされた中間棚の前記水平バーに干し物を吊り下げて乾燥させる。又、Ｘ状の脚体の上端に架設された上バーにも干し物を吊り下げる。
中間棚を使用しない場合は、展開状態にある中間棚の前記水平バーをサイドアームの基端部までスライドさせ、その後、左右のサイドアームを中央側に向けて水平に折り畳む。これにより、中間棚は、両脚体の回動自在な交差部間にて、上下及び前後の何れの方向にも突出しないコンパクトな形状に折り畳まれる。
従って、上バーに干し物を掛ける場合でも、中間棚が邪魔にならない。
【０００７】
［請求項２に係る発明］
請求項１に係る発明に於いて、
『前記水平バーが複数本設けられている』ものでは、複数本の水平バーを利用して多くの干し物を吊り下げることができる。
【０００８】
［請求項３に係る発明］
請求項２に係る発明に於いて、
『前記複数本の水平バーは、展開状態にあるサイドアームに沿って設定間隔を置いて所定配置部に配置されるものであり、
展開状態にあるサイドアームの先端部側に配置される水平バーがこれより基端部側に配置される水平バーを牽引しながら前記先端部側にスライドすることにより、各水平バーが前記所定配置部に夫々配置された状態になる』ものでは、前記先端側に配置される水平バーをスライドさせると、これより基端部側に配置される水平バーが牽引されるから、各水平バーを所定配置部に容易にセットできる。
【発明の効果】
【０００９】
本発明は次の特有の効果を有する。
中間棚は、上下及び前後の何れの方向にも突出しないコンパクトな形状に折り畳まれるから、上バーに干し物を掛ける場合でも、中間棚が邪魔にならず、使い勝手が向上する。
請求項２に係る発明では、上記効果に加えて、複数本の水平バーを利用して多くの干し物を吊り下げることができる効果がある。
請求項３に係る発明では、既述したように、各水平バーを所定配置部に容易にセットできる。
【発明を実施するための最良の形態】
【００１０】
以下に、本発明を実施するための最良の形態について添付図面を参照しながら説明する。
図１に示すように、一対の脚杆(11)(12)はその交差部に配設された回動継手(4)で回動自在にＸ状に結合されて脚体(1)が構成されていると共に、このように構成された一対の脚体(1)(1)が左右対向状態で配設されている。具体的には、図２に示すように、回動継手(4)は、第１フランジ(41a)が一体形成された第１脚保持筒(41)と、同様に、第２フランジ(42a)が一体形成された第２脚保持筒(42)が、支軸(43)で回動自在に結合されていると共に、前記第１，第２脚保持筒(41)(42)には脚杆(11)(12)が各別に挿通された状態で保持される構造である。又、回動継手(4)(4)間には中央バー(15)が架設されている。
一方の脚体(1)を構成する一対の脚杆(11)(12)の各上端部から、他方の脚体(1)を構成する一対の脚杆(11)(12)の各上端部かけて、左右に長い一対の上バー(13)(14)が平行状態に架設されている。
両脚体(1)(1)の回動継手(4)(4)の配設部（脚杆(11)(12)の回動自在な交差部）間には、折り畳み自在な物干し用の中間棚(3)が架設されている。
【００１１】
次に、中間棚(3)の詳細構造を説明する。
図１、２に示すように、中間棚(3)を構成する左右一対のサイドアーム(5)(5)は、脚杆(11)(12)の交差部たる回動継手(4)(4)の配設部から前方に突出した展開姿勢と該展開姿勢から左右方向の中央側に向けて水平となった折畳姿勢との間で自在に回動し得るようになっている。具体的には、回動継手(4)には、サイドアーム(5)の基端部を保持するアームホルダ(33)が固着されており、該回動継手(4)に形成された内方及び前方に開放するアーム嵌合凹部(34)に挿入されたサイドアーム(5)は、支軸(51)で水平方向に回動自在に保持されている。サイドアーム(5)の内面には、該サイドアーム(5)の基端部(50)からの前後長さが順次長くなった第１〜第４ガイド溝(53)〜(56)が形成されている。
第１ガイド溝(53)には、第１水平バー(35)の端部に外嵌されたエンドキャップ(35a)から一体的に突出したスライド板(35b)が挿入されている。
【００１２】
前記第１ガイド溝(53)より長い第２ガイド溝(54)には、第２水平バー(36)の端部に外嵌されたエンドキャップ(36a)から一体的に突出したスライド板(36b)がスライド自在に挿入されていると共に、該スライド板(36b)から先方に延びる牽引ロッド(36c)の先端には、第３水平バー(37)の先端に外嵌されたエンドキャップ(37a)から突出するスライド板(37b)に前方から係合する係合突起(36d)が一体形成されている。そして、スライド板(37b)は、前記第２ガイド溝(54)より長い第３ガイド溝(55)にスライド自在に挿入されている。従って、サイドアーム(5)の基端部(50)から先端方向に第３水平バー(37)を移動させると、その移動途中で、第３水平バー(37)のエンドキャップ(37a)から延長するスライド板(37b)に対して前記係合突起(36d)が前方から係合し、これにより、第２水平バー(36)が第３水平バー(37)に牽引される態様でサイドアーム(5)の先端側に移動する。そして、牽引ロッド(36c)の先端部(36e)が第２ガイド溝(54)の先端壁(54a)に当接したところで、第２，第３水平バー(36)(37)が停止する。これにより、第２，第３水平バー(36)(37)が設定間隔を置いて所定配置部に配置される。
【００１３】
上記第３ガイド溝(55)の上方には、これより長い第４ガイド溝(56)が形成されていると共に、該第４ガイド溝(56)には、第４水平バー(38)（図１参照）がスライド自在に保持されている。この第４水平バー(38)は、前記第３水平バー(37)が第３ガイド溝(55)にスライド自在に保持されたのと同様の構成で第４ガイド溝(56)に保持されている。又、第２水平バー(36)が第３水平バー(37)に牽引されるのと同様な構造で、第３水平バー(37)が第４水平バー(38)に牽引されるように構成されている。
【００１４】
次に、上記物干し具の使用方法を説明する。
不使用状態では、脚体(1)(1)を構成する脚杆(11)(12)を回動継手(4)(4)部分で回動させ、これにより、脚杆(11)(12)が直線状に重なるように折り畳んでおく。又、中間棚(3)も折り畳んで図４の状態にしておく。
上記物干し具を使用するときは、図４の折り畳み状態から、左右一対の脚体(1)をＸ状に展開する。具体的には、脚体(1)を構成する脚杆(11)(12)を、回動継手(4)の配設部で開く方向に相対回動させる。すると、回動継手(4)に内蔵されたストッパ（図示せず）によって、脚杆(11)(12)が所定角度で交差した状態に保持され、これにより、図３の中間状態になる。
【００１５】
次に、回動継手(4)(4)の配設部から、各サイドアーム(5)(5)を前方に突出させた展開姿勢にセットする。具体的には、各サイドアーム(5)の基端部を保持するアームホルダ(33)に対して、支軸(51)を回動支点として各サイドアーム(5)を前方に回動させ、これにより、サイドアーム(5)(5)を展開姿勢にセットする。
【００１６】
次に、第１〜第４水平バー(35)〜(38)をサイドアーム(5)(5)の先端方向にスライドさせて図１、５の展開状態にする。この展開状態では、第１〜第４水平バー(35)〜(38)は設定間隔を置いて所定配置部に配置される。この状態で第１〜第４水平バー(35)〜(38)や、上バー(13)(14)に干し物を掛けて乾燥させる。
【００１７】
中間棚(3)を使用しないときは、図５の状態で、第１〜第４水平バー(35)〜(38)を、サイドアーム(5)(5)の基端部側にスライドさせた後、支軸(51)を回動支点として左右方向の中央側にサイドアーム(5)(5)を回動させて折り畳む。すると、中間棚(3)は、上下及び前後の何れの方向にも突出しないコンパクトな状態に折り畳まれる（図３の中間状態参照）。従って、図３の中間状態で、上バー(13)(14)に干し物を吊り下げる場合でも、中間棚(3)が邪魔にならず、使い勝手が向上する。
尚、本実施の形態に係る物干し具では、図３の想像線で示すように、補助バー(130)(130)(140)(140)が上バー(13)(14)の両端に伸縮自在に内挿されており、引き出した補助バー(130)(130)(140)(140)に干し物を掛けて乾燥させることも出来る。
【図面の簡単な説明】
【００１８】
【図１】本発明の実施の形態に係る物干し具の展開状態の斜視図
【図２】中間棚(3)の要部の斜視図
【図３】本発明の実施の形態に係る物干し具の中間棚(3)を畳んだ中間状態の斜視図
【図４】本発明の実施の形態に係る物干し具の折り畳み状態の側面図
【図５】中間棚(3)部分の拡大図
【図６】従来例の説明図
【符号の説明】
【００１９】
(1)・・・脚体
(3)・・・中間棚
(5)・・・サイドアーム
(11)(12)・・・脚杆
(13)(14)・・・上バー
(35)〜(38)・・・水平バー
【図１】
2010012141.tif 000003
【図２】
2010012141.tif 000004
【図３】
2010012141.tif 000005
【図４】
2010012141.tif 000006
【図５】
2010012141.tif 000007
【図６】
2010012141.tif 000008